(57)【要約】【課題】ＩＳＤＢの受信信号の時間変動に対してＴＭＣＣ信号の受信精度を向上させる。【解決手段】リーク積分器２１０は忘却係数Ｋ（Ｋは０以上１以下の任意の数）によって定められる割合に応じて忘却（リーク）しながらＴＭＣＣ信号１０９を累積する。ＴＭＣＣ復調部２２０はリーク積分器２１０によって累積されたＴＭＣＣ信号２１８を復調し、ＴＭＣＣ復調部２３０はリーク積分器２１０による累積を経ないＴＭＣＣ信号２１９を復調する。選択器２８０は選択制御部２７０による制御に従ってＴＭＣＣ復調部２２０の出力２２８またはＴＭＣＣ復調部２３０の出力２３８の何れか一方を選択する。選択制御部２７０はＴＭＣＣ復調部２２０および２３０の処理状態に基づいて、選択器２８０における選択を制御し、また、リーク積分器２１０の累積値をリロードする。【選択図】図１
2007214969.tif 000002
【特許請求の範囲】
【請求項１】
忘却係数によって定められる割合に応じてデジタル放送信号における伝送制御情報を累積する累積手段と、
前記累積された伝送制御情報を復調する復調手段と
を具備することを特徴とするデジタル放送受信機。
【請求項２】
忘却係数によって定められる割合に応じてデジタル放送信号における伝送制御信号を累積する累積手段と、
前記累積された伝送制御信号を復調する第１の復調手段と、
前記累積手段による累積を経ない前記伝送制御信号を復調する第２の復調手段と、
前記第１および第２の復調手段の何れか一方の復調結果を選択して出力する選択手段と、
前記第２の復調手段によって復調された前記伝送制御信号の所定部分が所定条件下で変化した場合には前記第２の復調手段の復調結果を選択するように前記選択手段を制御し、それ以外の場合には前記第１の復調手段の復調結果を選択するように前記選択手段を制御する選択制御手段と
を具備することを特徴とするデジタル放送受信機。
【請求項３】
前記累積手段は、前記忘却係数Ｋ（Ｋは０以上１以下の任意の数）対（１−Ｋ）の割合で前記デジタル放送信号における伝送制御信号を前記累積された伝送制御信号にさらに累積していくことを特徴とする請求項２記載のデジタル放送受信機。
【請求項４】
前記選択制御手段は、前記伝送制御信号における伝送パラメータ情報の変化が検出された場合には前記第２の復調手段の復調結果を選択するように前記選択手段を制御することを特徴とする請求項２記載のデジタル放送受信機。
【請求項５】
前記選択制御手段は、前記伝送制御信号における伝送パラメータ情報が変化した場合には前記累積手段に累積されていた伝送制御信号を利用せずに新たな伝送制御信号から累積を再開させるよう前記累積手段を制御することを特徴とする請求項２記載のデジタル放送受信機。
【請求項６】
前記累積手段は、前記伝送制御信号を整数組保持するメモリを備え、
前記選択制御手段は、前記累積再開の際には前記メモリに前記整数組の伝送制御信号が保持されるまでの間は前記第２の復調手段の復調結果を選択するように前記選択手段を制御することを特徴とする請求項５記載のデジタル放送受信機。
【請求項７】
前記選択制御手段は、カウントダウンインデックスに従って前記伝送パラメータ情報の変化を検出するカウントダウン検出手段と、緊急警戒放送による前記伝送パラメータ情報の変化を検出する緊急起動検出手段とを備えることを特徴とする請求項６記載のデジタル放送受信機。
【請求項８】
前記選択制御手段は、前記第１および第２の復調手段の両者の同期状態が同期確立状態にある場合には前記第１の復調手段の復調結果を選択するように前記選択手段を制御し、前記第１および第２の復調手段の何れか一方のみの同期状態が同期確立状態にある場合には当該同期確立状態にある復調手段の復調結果を選択するように前記選択手段を制御し、前記第１および第２の復調手段の何れの同期状態も同期確立状態にない場合には前記第１の復調手段の復調結果を選択するように前記選択手段を制御することを特徴とする請求項２記載のデジタル放送受信機。
【請求項９】
前記選択制御手段は、前記第１の復調手段の同期状態が所定水準よりも低下すると前記累積手段における前記忘却係数を大きくさせ、前記第１の復調手段の同期状態が所定水準よりも向上すると前記累積手段における前記忘却係数を小さくさせることを特徴とする請求項２記載のデジタル放送受信機。
【請求項１０】
前記選択制御手段は、前記デジタル放送信号の復調状態が所定水準よりも低下すると前記累積手段における前記忘却係数を大きくさせ、前記第１の復調手段の復調状態が所定水準よりも向上すると前記累積手段における前記忘却係数を小さくさせることを特徴とする請求項２記載のデジタル放送受信機。
【請求項１１】
忘却係数によって定められる割合に応じてデジタル放送信号における伝送制御信号を累積する累積手段と、前記累積された伝送制御信号を復調する第１の復調手段と、前記累積手段による累積を経ない前記伝送制御信号を復調する第２の復調手段と、前記第１および第２の復調手段の何れか一方の復調結果を選択して出力する選択手段とを備えるデジタル放送受信機において、
先行する伝送制御信号を受信する手順と、
後続の伝送制御信号を受信する手順と、
前記先行する伝送制御信号と前記後続の伝送制御信号とを比較する手順と、
前記先行する伝送制御信号および前記後続の伝送制御信号の伝送パラメータ情報が変化した場合には前記第２の復調手段の復調結果を選択するように前記選択手段を制御し、それ以外の場合には前記第１の復調手段の復調結果を選択するように前記選択手段を制御する手順と
を具備することを特徴とするデジタル放送信号の受信制御方法。
【請求項１２】
忘却係数によって定められる割合に応じてデジタル放送信号における伝送制御信号を累積する累積手段と、前記累積された伝送制御信号を復調する第１の復調手段と、前記累積手段による累積を経ない前記伝送制御信号を復調する第２の復調手段と、前記第１および第２の復調手段の何れか一方の復調結果を選択して出力する選択手段とを備えるデジタル放送受信機において、
先行する伝送制御信号を受信する手順と、
後続の伝送制御信号を受信する手順と、
前記先行する伝送制御信号と前記後続の伝送制御信号とを比較する手順と、
前記先行する伝送制御信号および前記後続の伝送制御信号の伝送パラメータ情報が変化した場合には前記第２の復調手段の復調結果を選択するように前記選択手段を制御し、それ以外の場合には前記第１の復調手段の復調結果を選択するように前記選択手段を制御する手順と
をコンピュータに実行させることを特徴とするプログラム。
【発明の詳細な説明】
【技術分野】
【０００１】
本発明は、デジタル放送受信機に関し、特にＩＳＤＢ（Integrated Services Digital Broadcasting）信号を受信するデジタル放送受信機、および、その処理方法ならびに当該方法をコンピュータに実行させるプログラムに関する。
【背景技術】
【０００２】
日本の国内デジタル放送の規格であるＩＳＤＢでは、デジタル放送受信機の復調動作に関する情報を伝送するためにＴＭＣＣ（Transmission and Multiplexing Configuration Control）信号が用いられる。このＴＭＣＣ信号は、ＴＭＣＣキャリアによって伝送される。
【０００３】
このＴＭＣＣキャリアは、ＯＦＤＭ（Orthogonal Frequency Division Multiplexing）のフレーム同期を確立するための同期信号や、ＯＦＤＭセグメントの伝送パラメータ情報などの重要な情報を含むため、正確な復調処理が必要になる。一方、ＴＭＣＣキャリアは、ＴＭＣＣ信号の内容に変化が生じない場合であっても、一定期間毎に定期的に送信されることになっている。
【０００４】
そこで、従来は、複数のＴＭＣＣキャリアのそれぞれに対応するビットにおいて出現頻度の最も高い値を判定して多数決判定することにより受信精度を高めるデジタル放送受信機が提案されている（例えば、特許文献１参照。）。この従来技術では、差動復調された１フレーム分のＴＭＣＣキャリアが蓄積され、次のフレームのＴＭＣＣキャリアとの間で排他的論理和演算が行われることにより、受信信号の同期が実現されるようになっている。
【特許文献１】特開２００２−２１７８８３号公報（図８）
【発明の開示】
【発明が解決しようとする課題】
【０００５】
上述の従来技術では、相前後する２フレーム分のＴＭＣＣキャリアを用いて同期処理を行っている。しかしながら、このような同期処理においては、何らかの原因によってＴＭＣＣキャリアが欠落した場合には同期をとることができなくなってしまう。例えば、遅延波の影響により１フレーム内で全体的に信号レベルが下がるという事象（フラッタ）が生じた場合や、一部のキャリアの信号レベルが下がるという事象（周波数選択性フェージング）が発生した場合には、ＴＭＣＣキャリアが欠落するおそれがある。すなわち、フラッタやフェージング等による時間変動の影響により、受信信号の同期が正確に行えなくなるおそれがある。
【０００６】
そこで、本発明は、ＩＳＤＢの受信信号の時間変動に備えてＴＭＣＣ信号を累積制御して、ＴＭＣＣ信号の受信精度を向上させることを目的とする。
【課題を解決するための手段】
【０００７】
本発明は、上記課題を解決するためになされたものであり、その第１の側面は、忘却係数によって定められる割合に応じてデジタル放送信号における伝送制御情報を累積する累積手段と、上記累積された伝送制御情報を復調する復調手段とを具備することを特徴とするデジタル放送受信機である。これにより、累積手段における累積値を用いて復調手段に復調させることにより、伝送制御情報の受信精度を向上させるという作用をもたらす。
【０００８】
また、本発明の第２の側面は、忘却係数によって定められる割合に応じてデジタル放送信号における伝送制御信号を累積する累積手段と、上記累積された伝送制御信号を復調する第１の復調手段と、上記累積手段による累積を経ない上記伝送制御信号を復調する第２の復調手段と、上記第１および第２の復調手段の何れか一方の復調結果を選択して出力する選択手段と、上記第２の復調手段によって復調された上記伝送制御信号の所定部分が所定条件下で変化した場合には上記第２の復調手段の復調結果を選択するように上記選択手段を制御し、それ以外の場合には上記第１の復調手段の復調結果を選択するように上記選択手段を制御する選択制御手段とを具備することを特徴とするデジタル放送受信機である。これにより、累積手段における累積値を用いた第１の復調手段および累積手段における累積値を用いない第２の復調手段の両者により復調させて、伝送制御信号の状態に応じて適切な復調手段の出力を選択させるという作用をもたらす。
【０００９】
また、この第２の側面において、上記累積手段が上記忘却係数Ｋ（Ｋは０以上１以下の任意の数）対（１−Ｋ）の割合で上記デジタル放送信号における伝送制御信号を上記累積された伝送制御信号にさらに累積していくようにしてもよい。これにより、忘却係数Ｋの設定に応じて累積手段における累積値を制御させるという作用をもたらす。
【００１０】
また、この第２の側面において、上記伝送制御信号における伝送パラメータ情報の変化が検出された場合には上記第２の復調手段の復調結果を選択するように上記選択制御手段が上記選択手段を制御するようにしてもよい。これにより、伝送パラメータ情報の変化に応じて適切な復調手段の出力を選択させるという作用をもたらす。
【００１１】
また、この第２の側面において、上記伝送制御信号における伝送パラメータ情報が変化した場合には上記累積手段に累積されていた伝送制御信号を利用せずに新たな伝送制御信号から累積を再開させるよう上記選択制御手段が上記累積手段を制御するようにしてもよい。これにより、伝送パラメータ情報の変化に応じて累積手段の累積値をリロードさせるという作用をもたらす。この場合において、上記累積手段が上記伝送制御信号を整数組保持するメモリを備え、上記累積再開の際には上記メモリに上記整数組の伝送制御信号が保持されるまでの間は上記第２の復調手段の復調結果を選択するように上記選択制御手段が上記選択手段を制御することができる。また、上記選択制御手段は、カウントダウンインデックスに従って上記伝送パラメータ情報の変化を検出するカウントダウン検出手段と、緊急警戒放送による上記伝送パラメータ情報の変化を検出する緊急起動検出手段とを備えることができる。
【００１２】
また、この第２の側面において、上記選択制御手段は、上記第１および第２の復調手段の両者の同期状態が同期確立状態にある場合には上記第１の復調手段の復調結果を選択するように上記選択手段を制御し、上記第１および第２の復調手段の何れか一方のみの同期状態が同期確立状態にある場合には当該同期確立状態にある復調手段の復調結果を選択するように上記選択手段を制御し、上記第１および第２の復調手段の何れの同期状態も同期確立状態にない場合には上記第１の復調手段の復調結果を選択するように上記選択手段を制御するようにしてもよい。これにより、同期状態に応じて適切な復調手段の出力を選択させるという作用をもたらす。
【００１３】
また、この第２の側面において、上記選択制御手段は、上記第１の復調手段の同期状態が所定水準よりも低下すると上記累積手段における上記忘却係数を大きくさせ、上記第１の復調手段の同期状態が所定水準よりも向上すると上記累積手段における上記忘却係数を小さくさせるようにしてもよい。これにより、同期状態に応じて累積手段における忘却係数を動的に変更させるという作用をもたらす。
【００１４】
また、この第２の側面において、上記選択制御手段は、上記デジタル放送信号の復調状態が所定水準よりも低下すると上記累積手段における上記忘却係数を大きくさせ、上記第１の復調手段の復調状態が所定水準よりも向上すると上記累積手段における上記忘却係数を小さくさせるようにしてもよい。これにより、復調状態に応じて累積手段における忘却係数を動的に変更させるという作用をもたらす。
【００１５】
また、本発明の第３の側面は、忘却係数によって定められる割合に応じてデジタル放送信号における伝送制御信号を累積する累積手段と、上記累積された伝送制御信号を復調する第１の復調手段と、上記累積手段による累積を経ない上記伝送制御信号を復調する第２の復調手段と、上記第１および第２の復調手段の何れか一方の復調結果を選択して出力する選択手段とを備えるデジタル放送受信機において、先行する伝送制御信号を受信する手順と、後続の伝送制御信号を受信する手順と、上記先行する伝送制御信号と上記後続の伝送制御信号とを比較する手順と、上記先行する伝送制御信号および上記後続の伝送制御信号の伝送パラメータ情報が変化した場合には上記第２の復調手段の復調結果を選択するように上記選択手段を制御し、それ以外の場合には上記第１の復調手段の復調結果を選択するように上記選択手段を制御する手順とを具備することを特徴とするデジタル放送信号の受信制御方法またはこれら手順をコンピュータに実行させることを特徴とするプログラムである。これにより、累積手段における累積値を用いた第１の復調手段および累積手段における累積値を用いない第２の復調手段の両者により復調させて、伝送制御信号の状態に応じて適切な復調手段の出力を選択させるという作用をもたらす。
【発明の効果】
【００１６】
本発明によれば、ＩＳＤＢの受信信号の時間変動に対してＴＭＣＣ信号の受信精度を向上させることができるという優れた効果を奏し得る。
【発明を実施するための最良の形態】
【００１７】
次に本発明の実施の形態について図面を参照して詳細に説明する。
【００１８】
図１は、本発明の実施の形態としてのデジタル放送受信機におけるＴＭＣＣ処理部２００の構成例を示す図である。ＴＭＣＣ処理部２００の前段にあたるＯＦＤＭ復調部１００は、ベースバンドのＯＦＤＭ信号から有効シンボル長の信号を除いてＦＦＴ演算を行い、サブキャリア信号に含まれるＴＭＣＣ信号１０９を供給するものである。このＯＦＤＭ復調部１００では、ＯＦＤＭ復調後の１シンボルに含まれるＴＭＣＣ信号の位相値の和が算出される。すなわち、位相変調されたＴＭＣＣ信号は、この段階では硬判定が行われることなく、位相値の和としてＴＭＣＣ処理部２００に供給される。
【００１９】
ＴＭＣＣ処理部２００の後段にあたる誤り訂正部３００は、前方向誤り訂正技術（ＦＥＣ：Forward Error Correction）により、無線通信において生じたエラーを検出訂正するものである。
【００２０】
ＴＭＣＣ処理部２００は、ＯＦＤＭ復調部１００からＴＭＣＣ信号１０９の供給を受けて、ＴＭＣＣ信号に含まれるＴＭＣＣ情報およびフレーム同期信号を誤り訂正部３００に供給するものであり、リーク積分器２１０と、ＴＭＣＣ復調部２２０および２３０と、同期フラグ生成部２４０および２５０と、選択制御部２７０と、選択器２８０とを備えている。
【００２１】
リーク積分器２１０は、忘却係数Ｋ（Ｋは０以上１以下の任意の数）によって定められる割合に応じてＴＭＣＣ信号１０９を累積する積分器である。構成については後述するが、このリーク積分器２１０は忘却係数Ｋに従って累積する値を忘却（リーク）しながら時間的な累積を行う。
【００２２】
ＴＭＣＣ復調部２２０および２３０は、ＴＭＣＣ信号におけるフレーム同期を判定してＴＭＣＣ信号を復調するものである。ＴＭＣＣ復調部２２０はリーク積分器２１０によって累積されたＴＭＣＣ信号２１８を復調し、ＴＭＣＣ復調部２３０はリーク積分器２１０による累積を経ないＴＭＣＣ信号２１９を復調する。これにより、ＴＭＣＣ復調部２２０はＴＭＣＣ信号２１８からＴＭＣＣ情報２２８を抽出するとともに、フレーム同期の同期位置の判定信号や内部の誤り訂正の成否情報を含む同期情報２２９を生成する。同様に、ＴＭＣＣ復調部２３０はＴＭＣＣ信号２１９からＴＭＣＣ情報２３８を抽出するとともに、フレーム同期の同期位置の判定信号や内部の誤り訂正の成否情報を含む同期情報２３９を生成する。
【００２３】
同期フラグ生成部２４０および２５０は、それぞれ同期情報２２９および２３９に基づいてフレーム同期フラグ２４９および２５９を生成するものである。
【００２４】
選択器２８０は、選択制御部２７０による制御に従ってＴＭＣＣ復調部２２０および同期フラグ生成部２４０の出力（２２８および２４９）またはＴＭＣＣ復調部２３０および同期フラグ生成部２５０の出力（２３８および２５９）の何れか一方を選択して、ＴＭＣＣ情報２８１およびフレーム同期信号２８２を誤り訂正部３００に供給するものである。
【００２５】
選択制御部２７０は、ＴＭＣＣ復調部２２０および２３０の処理状態に基づいて、何れの出力を採用すべきかを制御信号２７９によって選択器２８０に指示するものである。また、選択制御部２７０は、ＴＭＣＣ情報２３８の変化に応じて、リーク積分器２１０に累積された値をリセットさせるように、制御信号２７８によって制御するものである。すなわち、新たなＴＭＣＣ信号１０９をリロードさせることにより、それまでに累積されていた値による影響が除去される。
【００２６】
図２は、本発明の実施の形態におけるリーク積分器２１０の構成例を示す図である。このリーク積分器２１０は、メモリ２１１と、乗算器２１２および２１３と、加算器２１４と、忘却係数設定部２１５と、硬判定器２１６および２１７とを備える。
【００２７】
メモリ２１１は、累積された値を記憶するメモリである。このメモリ２１１は、ＴＭＣＣ信号を整数組保持することができる。乗算器２１２はＴＭＣＣ信号１０９をＫ（忘却係数）倍する乗算器であり、乗算器２１３はメモリ２１１に累積された値を（１−Ｋ）倍する乗算器である。加算器２１４は、これら乗算器２１２および２１３の乗算結果を足し合わせる加算器である。この加算器２１４の加算結果は、メモリ２１１に累積される値として供給される。すなわち、メモリ２１１は、次式に示すように、ＴＭＣＣ信号１０９とメモリ２１１の累積値とをＫ対（１−Ｋ）の割合でさらに累積していくことになる。
新たな累積値＝Ｋ×ＴＭＣＣ信号＋（１−Ｋ）×現在の累積値
【００２８】
ここで、忘却係数Ｋは、０以上１以下の任意の数を使用することができるが、実装の際には例えば以下のような予め設定された値から選択して使用するようにしてもよい。
Ｋ＝１，１／２，１／４，１／８，１／１６，１／３２，１／６４
【００２９】
忘却係数設定部２１５は、忘却係数Ｋを設定するものである。忘却係数設定部２１５は、乗算器２１２および２１３に忘却係数Ｋを保持させるようにしてもよく、また、乗算器２１２および２１３に保持することなく忘却係数設定部２１５から忘却係数Ｋを常時供給するようにしてもよい。また、上述のように予め設定された値から選択して使用する場合には、忘却係数Ｋそのものではなく、忘却係数Ｋを示すためのインデックスを用いるようにしてもよい。なお、この忘却係数設定部２１５は、予め固定した値を設定してもよく、また、後述するように選択制御部２７０によって制御信号２７８を介して動的に変更するようにしてよい。
【００３０】
硬判定器２１６は、メモリ２１１の累積値から１ビットずつ硬判定してＴＭＣＣ信号２１８を出力するものである。また、硬判定器２１７は、累積を経ないＴＭＣＣ信号１０９から１ビットずつ硬判定してＴＭＣＣ信号２１９を出力するものである。ここで、硬判定の方法としては種々の方法が考えられるが、複数ビットからなるＴＭＣＣ信号（もしくは累積値）から例えば最上位ビットを代表ビットとして抽出することができる。
【００３１】
ＴＭＣＣ信号１０９は、上述のように硬判定されていない位相値の和としてＯＦＤＭ復調部１００から供給されるものであり、信号の精度を確保するために例えば１３ビット幅を有する。硬判定器２１７はこの１３ビットに基づいて１ビットのＴＭＣＣ信号２１９を出力する。一方、メモリ２１１の累積値はＴＭＣＣ信号１０９と同様のビット幅でもよいが、乗算器２１２、２１３および加算器２１４における演算精度を向上させるために例えば２６ビット幅を保持するようにしてもよい。この場合、硬判定器２１６はこの２６ビットに基づいて１ビットのＴＭＣＣ信号２１８を出力する。
【００３２】
図３は、本発明の実施の形態におけるＴＭＣＣ信号の構成を示す図である。ＴＭＣＣ信号は２０４ビットからなり、先頭から、１ビットの差動復調の基準信号、１６ビットの同期信号、３ビットのセグメント形式識別、１０２ビットのＴＭＣＣ情報、および、８２ビットのパリティビットによって構成されている。
【００３３】
ここで、差動復調の基準信号は、差動変調方式の基準振幅および基準位相となる信号である。同期信号は、２０４ビットのＴＭＣＣ信号の先頭位置を示す情報である。具体的には、Ｗ０＝"００１１０１０１１１１０１１１０"と、その反転ワードであるＷ１＝"１１００１０１００００１０００１"とがフレーム単位で交互に挿入される。セグメント形式識別は、伝送データが差動変調もしくは同期変調の何れによって変調されているかを示す情報である。パリティビットは、１０２ビットのＴＭＣＣ情報に対する誤り訂正符号であり、その方式には、差集合巡回符号（ＤＳＣＣ：Difference-Set Cyclic Code）（２７３，１９１）の短縮符号（１８４，１０２）が採用される。
【００３４】
ＴＭＣＣ情報は、受信機の復調と復号動作を補助する情報であり、具体的には、２ビットのシステム識別と、４ビットのカウントダウンインデックスと、１ビットの緊急警報放送起動フラグと、４０ビットのカレント情報と、４０ビットのネクスト情報と、３ビットの連結送信位相補正量と、１２ビットのリザーブビットによって構成されている。
【００３５】
ここで、システム識別は、地上デジタルテレビジョン放送システムであるか、地上デジタル音声放送システムであるかを識別するための情報である。カウントダウンインデックスは、伝送パラメータを切り替える際のタイミングを知らせるものであり、伝送パラメータ切替え指標とも呼ばれる。このカウントダウンインデックスは、通常は"１１１１"（２進数表記、以下同様）であるが、切り替えタイミングに合わせて"１１１０"から"００００"までカウントダウンする。緊急警報放送起動フラグは、カウントダウンを経ないで緊急警報放送を起動するために用いられるものであり、緊急警報放送において受信機への起動制御が行われている場合には「１」を示し、起動制御が行われていない場合には「０」を示す。
【００３６】
カレント情報は現在の階層構成および伝送パラメータを示し、ネクスト情報は切替え後の伝送パラメータを示す。ＩＳＤＢでは伝送特性の異なる最大３つの階層を同時に伝送可能であり、カレント情報およびネクスト情報はそれぞれの階層Ａ乃至Ｃの伝送パラメータ情報を備える。伝送パラメータ情報には、キャリア変調方式、畳込み符号化率、インターリーブ長およびセグメント数が指定される。また、１３個のＯＦＤＭセグメントの中央のセグメントのみを受信する部分受信モードを部分受信フラグによって指定することができるようになっている。
【００３７】
連結送信位相補正量は、地上デジタル音声放送において使用される位相補正量である。また、リザーブビットは、将来の拡張用としてリザーブされたビットである。
【００３８】
このようなＴＭＣＣ信号について、ＴＭＣＣ復調部２２０および２３０は、差動復調の基準信号に基づいて同期信号を検出することによりフレーム同期を判定して、同期フラグ生成部２４０および２５０にそれぞれ同期情報２２９および２３９を供給する。また、ＴＭＣＣ復調部２２０および２３０は、ＴＭＣＣ信号を復号してＴＭＣＣ情報２２８および２３８を選択器２８０に供給する。
【００３９】
図４は、本発明の実施の形態における選択制御部２７０の構成例を示す図である。この選択制御部２７０は、カウントダウン検出部２７１と、緊急起動検出部２７２と、制御情報検出部２７３と、論理和回路２７４および２７５と、切替制御部２７６とを備えている。
【００４０】
カウントダウン検出部２７１は、ＴＭＣＣ情報２３８１（ＴＭＣＣ復調部２３０から出力されるＴＭＣＣ情報２３８の一部）におけるカウントダウンインデックスのカウントダウンの開始から終了を検出して、伝送パラメータ情報の切替えを検知するものである。伝送パラメータ情報が切り替わる場合には、通常はカウントダウンインデックスが"１１１０"から"００００"までカウントダウンされ、"１１１１"に移行するタイミングで伝送パラメータ情報が切り替わることになっている。この切替りの直後にはリーク積分器２１０に古い累積値が残ってしまうおそれがある。そこで、このカウントダウンの開始が検出された場合には選択器２８０においてＴＭＣＣ復調部２３０および同期フラグ生成部２５０の出力（２３８および２５９）が選択されるようにし、カウントダウンの終了タイミングでリーク積分器２１０における累積値がリロードされるようにする。このとき、メモリ２１１に保持されるＴＭＣＣ信号の数をＹとすると、メモリ２１１にＹ組のＴＭＣＣ信号が保持されるまでの間は選択器２８０においてＴＭＣＣ復調部２３０および同期フラグ生成部２５０の出力（２３８および２５９）が選択されるように制御される。
【００４１】
緊急起動検出部２７２は、ＴＭＣＣ情報２３８２（ＴＭＣＣ復調部２３０から出力されるＴＭＣＣ情報２３８の一部）における緊急警報放送起動フラグの変化を検出して、伝送パラメータ情報の切替えを検知するものである。緊急警報放送が起動される場合には、カウントダウンインデックスによるカウントダウンを経ることなく強制的に伝送パラメータ情報が切り替わることができるようになっている。この切替りの直後にはリーク積分器２１０に古い累積値が残ってしまうおそれがある。そこで、この緊急警報放送起動フラグの変化が検出された場合には選択器２８０においてＴＭＣＣ復調部２３０および同期フラグ生成部２５０の出力（２３８および２５９）が選択されるようにするとともに、リーク積分器２１０における累積値がリロードされるようにする。このときも、メモリ２１１にＹ組のＴＭＣＣ信号が保持されるまでの間は選択器２８０においてＴＭＣＣ復調部２３０および同期フラグ生成部２５０の出力（２３８および２５９）が選択されるように制御される。
【００４２】
制御情報検出部２７３は、ＴＭＣＣ情報２３８３（ＴＭＣＣ復調部２３０から出力されるＴＭＣＣ情報２３８の一部）のうちカウントダウン検出部２７１および緊急起動検出部２７２によって検出されない制御情報における変化を検出するものである。ここで対象とする制御情報は、ＴＭＣＣ情報におけるシステム識別、ネクスト情報、連結送信位相補正量およびリザーブビットであり、これらは上述したカウントダウンまたは緊急起動以外の事象により変化しないことになっている。しかし、何らかの事情によりこれらの制御情報が変化してしまった場合には、リーク積分器２１０の累積値をそのままにしておくと同期が外れるおそれがある。そこで、これら制御情報の変化が検出されると、リーク積分器２１０における累積値がリロードされるようにする。
【００４３】
なお、これらカウントダウン検出部２７１、緊急起動検出部２７２および制御情報検出部２７３においては、ＴＭＣＣ情報の変化を偶発的に誤って検出してしまう場合に備えて、検出保護段を設けることができる。この段数を検出保護段数Ｍとすると、変化の検出が連続してＭ回までであればその検出は誤ったものであるとして処理される。
【００４４】
また、これらカウントダウン検出部２７１、緊急起動検出部２７２および制御情報検出部２７３においては、ＴＭＣＣ復調部２３０における誤り訂正（ＤＳＣＣ）が成功し、同期が確立されていることを確認するために、同期情報２３９１および２３９２（ＴＭＣＣ復調部２３０から出力される同期情報２３９の一部）が参照される。
【００４５】
論理和回路２７４は、カウントダウン検出部２７１および緊急起動検出部２７２の出力の論理和を生成するものである。すなわち、カウントダウン検出部２７１または緊急起動検出部２７２の何れかにおいて、ＴＭＣＣ復調部２３０および同期フラグ生成部２５０の出力（２３８および２５９）を選択すべきと判断された際には、その旨が切替制御部２７６に伝達される。
【００４６】
論理和回路２７５は、カウントダウン検出部２７１、緊急起動検出部２７２および制御情報検出部２７３の出力の論理和を生成するものである。すなわち、カウントダウン検出部２７１、緊急起動検出部２７２または制御情報検出部２７３の何れかにおいて、リーク積分器２１０における累積値をリロードすべきと判断された際には、その旨が制御信号２７８によってリーク積分器２１０に伝達される。リーク積分器２１０において累積値をリロードするためには、例えば、忘却係数設定部２１５により忘却係数Ｋを「１」に設定することが考えられる。
【００４７】
切替制御部２７６は、選択器２８０における選択制御を制御信号２７９によって指示するものである。切替制御部２７６は、カウントダウン検出部２７１および緊急起動検出部２７２の何れにおいても伝送パラメータ情報の切替えが検出されない定常状態においては、ＴＭＣＣ復調部２２０および同期フラグ生成部２４０の出力（２２８および２４９）を選択するように制御する。一方、カウントダウン検出部２７１または緊急起動検出部２７２の何れかにおいて上述のように伝送パラメータ情報の切替えが検出されると、ＴＭＣＣ復調部２３０および同期フラグ生成部２５０の出力（２３８および２５９）を選択するように制御する。
【００４８】
また、この切替制御部２７６は、同期情報２２９１（ＴＭＣＣ復調部２２０から出力される同期情報２２９の一部）および同期情報２３９１（ＴＭＣＣ復調部２３０から出力される同期情報２３９の一部）を参照して、ＴＭＣＣ復調部２２０および２３０における同期状態を確認する。そして、両者が同期確立状態にある場合には上述の定常状態においてＴＭＣＣ復調部２２０および同期フラグ生成部２４０の出力（２２８および２４９）を選択するように制御する。しかし、何れか一方のみが同期確立状態にある場合には同期確立状態にあるＴＭＣＣ復調部およびその同期フラグ生成部の出力を選択するように制御する。また、何れの同期状態も同期確立状態にない場合にはＴＭＣＣ復調部２２０および同期フラグ生成部２４０の出力（２２８および２４９）を選択するように制御する。
【００４９】
ここで、ＴＭＣＣ復調部２２０および２３０における同期状態としては、例えば同期確立状態と同期非確立状態の何れか一方の状態をとるものと想定する。そのとき、ＴＭＣＣ復調部において直前のフレームと同期位置が一致（同期位置判定が成功）し、かつ、そのＴＭＣＣ復調部において誤り訂正（ＤＳＣＣ）が成功すれば、同期状態は同期確立状態となる。この同期確立状態はさらに内部状態を有し、同期位置判定の失敗または誤り訂正の失敗が検出されると、次第にその内部状態が悪化する。そして、同期位置判定の失敗または誤り訂正の失敗の何れかが何回か連続して検出されることにより、そのＴＭＣＣ復調部における同期状態は同期非確立状態に移行する。
【００５０】
図５は、本発明の実施の形態のカウントダウン検出部２７１における状態遷移例を示す図である。カウントダウン検出のための状態としては、初期状態Ｉと、定常状態Ｎと、カウントダウン状態Ｃと、検出保護状態Ｓ１乃至Ｓ１４とがある。
【００５１】
初期状態Ｉは、初期化直後の状態であり、同期状態が同期非確立状態となった場合もこの初期状態Ｉになる。また、検出保護段数が例えば「１５」以上に設定されている場合には、ＴＭＣＣ情報の変化に対応しないことを意味するものとして、常に初期状態Ｉを維持する。
【００５２】
定常状態Ｎは、カウントダウンが検出されていない通常の状態である。初期状態Ｉにおいて同期状態が同期確立状態となり、かつ、検出保護段数Ｍが例えば「１５」未満であれば定常状態Ｎに移行する。
【００５３】
カウントダウン状態Ｃは、カウントダウンが検出されている状態である。検出保護段数Ｍが「０」に設定されている場合に、定常状態Ｎにおいてカウントダウンの開始が検出されると、カウントダウン状態Ｃに移行する。このカウントダウン開始を示す条件Ｚは、図５に示すように、（１）現在のカウントダウンインデックスが通常（"１１１１"）ではなく、または、直前のカウントダウンインデックスが切替直前（"００００"）ではなく、（２）現在のカウントダウンインデックスが直前のカウントダウンインデックスから「１」減じた値であり、（３）カレント情報に変化がなく、かつ、（４）ＴＭＣＣ復調部における誤り訂正が成功している、という４つの全てが成り立つことを意味する。このカウントダウン状態Ｃに移行した際には、選択器２８０においてＴＭＣＣ復調部２３０および同期フラグ生成部２５０の出力（２３８および２５９）が選択される。
【００５４】
カウントダウンが検出されている間は、このカウントダウン状態Ｃが維持される。このカウントダウン中を示す条件Ａは、図５に示すように、（１）現在のカウントダウンインデックスが通常（"１１１１"）ではなく、または、直前のカウントダウンインデックスが切替直前（"００００"）ではなく、（２）現在のカウントダウンインデックスが直前のカウントダウンインデックスから「１」減じた値であり、（３）カレント情報およびネクスト情報に変化がなく、かつ、（４）ＴＭＣＣ復調部における誤り訂正が成功している、という４つの全てが成り立つことを意味する。この条件Ａが成立している間には、選択器２８０においてＴＭＣＣ復調部２３０および同期フラグ生成部２５０の出力（２３８および２５９）が選択される。
【００５５】
一方、カウントダウン状態Ｃにおいてカウントダウン終了を示す条件Ｂは、図５に示すように、（１）現在のカウントダウンインデックスが通常（"１１１１"）であり、（２）直前のカウントダウンインデックスが切替直前（"００００"）であり、（３）カレント情報が直前のネクスト情報と一致しており、かつ、（４）ＴＭＣＣ復調部における誤り訂正が成功している、という４つの全てが成り立つことを意味する。この条件Ｂが成立した場合には、定常状態Ｎに移行し、選択器２８０においてＴＭＣＣ復調部２３０および同期フラグ生成部２５０の出力（２３８および２５９）が選択されるとともに、リーク積分器２１０における累積値がリロードされる。
【００５６】
なお、カウントダウン状態Ｃにおいて、条件Ｂが検出されることなく条件Ａを満たさなくなった場合には、定常状態Ｎに移行するが、選択器２８０の切替えやリーク積分器２１０のリロードは行われない。
【００５７】
検出保護状態Ｓ１乃至Ｓ１４は、必要に応じて設けられる状態であり、偶発的に誤ってカウントダウンを検出した際のバッファとなる。定常状態Ｎにおいて条件Ｚが検出された場合、検出保護状態Ｓ１が設定されていれば（すなわち、Ｍが０より大きければ）、検出保護状態Ｓ１に移行する。
【００５８】
検出保護状態Ｓ１において条件Ａが検出された場合、検出保護状態Ｓ２が設定されていれば（すなわち、Ｍが１より大きければ）、検出保護状態Ｓ２に移行する。もし、検出保護状態Ｓ２が設定されていなければ（すなわち、Ｍが１以下であれば）、カウントダウン状態Ｃに移行する。このカウントダウン状態Ｃに移行する際には、選択器２８０においてＴＭＣＣ復調部２３０および同期フラグ生成部２５０の出力（２３８および２５９）が選択される。一方、検出保護状態Ｓ１において条件Ａが検出されなかった場合、定常状態Ｎに移行する。
【００５９】
検出保護状態Ｓ２乃至Ｓ１４においても、検出保護状態Ｓ１と同様の状態遷移が行われる。但し、検出保護状態Ｓ１４において条件Ａが検出された場合、Ｍが１４より大きければ定常状態Ｎに移行する。
【００６０】
図６は、本発明の実施の形態の緊急起動検出部２７２における状態遷移例を示す図である。緊急起動検出のための状態としては、初期状態Ｉと、定常状態Ｎと、検出保護状態Ｓ１乃至Ｓ１４とがある。すなわち、カウントダウン検出の場合と比べて、カウントダウン状態Ｃを除いた形態になっている。
【００６１】
初期状態Ｉは、カウントダウン検出の場合と同様に、初期化直後の状態を示す。また、定常状態Ｎは、緊急起動が検出されていない通常の状態である。初期状態Ｉにおいて同期状態が同期確立状態となり、かつ、検出保護段数Ｍが例えば「１５」未満であれば定常状態Ｎに移行する点もカウントダウン検出の場合と同様である。
【００６２】
定常状態Ｎにおいて、緊急警戒放送起動フラグの変化が確認されない場合、すなわち条件Ｄが成立しない場合には、定常状態Ｎを維持する。この条件Ｄは、図６に示すように、（１）緊急警戒放送起動フラグが変化し、かつ、（２）ＴＭＣＣ復調部における誤り訂正が成功している、という２つが全て成り立つことを意味する。
【００６３】
一方、検出保護段数Ｍが「０」に設定されている場合に、定常状態Ｎにおいて条件Ｄが成立すると、緊急警戒放送起動フラグが「０」から「１」に変化して緊急警戒放送が起動されたものとして、定常状態Ｎを維持しながら、選択器２８０においてＴＭＣＣ復調部２３０および同期フラグ生成部２５０の出力（２３８および２５９）が選択されるとともに、リーク積分器２１０における累積値がリロードされる。
【００６４】
検出保護状態Ｓ１乃至Ｓ１４は、必要に応じて設けられる状態であり、偶発的に誤って緊急起動フラグの変化を検出した際のバッファとなる。定常状態Ｎにおいて条件Ｄが検出された場合、検出保護状態Ｓ１が設定されていれば（すなわち、Ｍが０より大きければ）、検出保護状態Ｓ１に移行する。
【００６５】
検出保護状態Ｓ１において緊急警戒放送起動フラグの変化がないことが確認された場合、すなわち条件Ｅが成立した場合には、緊急警戒放送起動フラグが「１」に変化した状態が維持されていることを意味する。この条件Ｅは、図６に示すように、（１）緊急警戒放送起動フラグが変化せず、かつ、（２）ＴＭＣＣ復調部における誤り訂正が成功している、という２つが全て成り立つことを意味する。検出保護状態Ｓ１において条件Ｅが成立した場合に検出保護状態Ｓ２が設定されていれば（すなわち、Ｍが１より大きければ）、検出保護状態Ｓ２に移行する。もし、検出保護状態Ｓ２が設定されていなければ（すなわち、Ｍが１以下であれば）、定常状態Ｎに移行して、選択器２８０においてＴＭＣＣ復調部２３０および同期フラグ生成部２５０の出力（２３８および２５９）が選択されるとともに、リーク積分器２１０における累積値がリロードされる。
【００６６】
検出保護状態Ｓ２乃至Ｓ１４においても、検出保護状態Ｓ１と同様の状態遷移が行われる。但し、検出保護状態Ｓ１４において条件Ｅが検出された場合、Ｍが１４より大きければ定常状態Ｎに移行する。
【００６７】
図７は、本発明の実施の形態の制御情報検出部２７３における状態遷移例を示す図である。ここで検出されるのは、上述のように、ＴＭＣＣ情報におけるシステム識別、ネクスト情報、連結送信位相補正量およびリザーブビット（これらを対象ビットと呼ぶ。）の変化である。この状態としては、初期状態Ｉと、定常状態Ｎと、検出保護状態Ｓ１乃至Ｓ１４とがある。すなわち、緊急起動検出の場合と同様の形態になっている。
【００６８】
初期状態Ｉは、カウントダウン検出や緊急起動検出の場合と同様に、初期化直後の状態を示す。また、定常状態Ｎは、対象ビットの変化が検出されていない通常の状態である。初期状態Ｉにおいて同期状態が同期確立状態となり、かつ、検出保護段数Ｍが例えば「１５」未満であれば定常状態Ｎに移行する点もカウントダウン検出等の場合と同様である。
【００６９】
定常状態Ｎにおいて、対象ビットの変化が確認されない場合、すなわち条件Ｆが成立しない場合には、定常状態Ｎを維持する。この条件Ｆは、図７に示すように、（１）対象ビットが変化し、かつ、（２）ＴＭＣＣ復調部における誤り訂正が成功している、という２つが全て成り立つことを意味する。
【００７０】
一方、検出保護段数Ｍが「０」に設定されている場合に、定常状態Ｎにおいて条件Ｆが成立すると、対象ビットが不当に変化したものとして、定常状態Ｎを維持しながら、選択器２８０においてＴＭＣＣ復調部２３０および同期フラグ生成部２５０の出力（２３８および２５９）が選択されるとともに、リーク積分器２１０における累積値がリロードされる。
【００７１】
検出保護状態Ｓ１乃至Ｓ１４は、必要に応じて設けられる状態であり、偶発的に誤って対象ビットの変化を検出した際のバッファとなる。定常状態Ｎにおいて条件Ｆが検出された場合、検出保護状態Ｓ１が設定されていれば（すなわち、Ｍが０より大きければ）、検出保護状態Ｓ１に移行する。
【００７２】
検出保護状態Ｓ１において対象ビットの変化がないことが確認された場合、すなわち条件Ｇが成立した場合には、対象ビットが不当に変化した状態が維持されていることを意味する。この条件Ｇは、図７に示すように、（１）対象ビットが変化せず、かつ、（２）ＴＭＣＣ復調部における誤り訂正が成功している、という２つが全て成り立つことを意味する。検出保護状態Ｓ１において条件Ｇが成立した場合に検出保護状態Ｓ２が設定されていれば（すなわち、Ｍが１より大きければ）、検出保護状態Ｓ２に移行する。もし、検出保護状態Ｓ２が設定されていなければ（すなわち、Ｍが１以下であれば）、定常状態Ｎに移行して、選択器２８０においてＴＭＣＣ復調部２３０および同期フラグ生成部２５０の出力（２３８および２５９）が選択されるとともに、リーク積分器２１０における累積値がリロードされる。
【００７３】
検出保護状態Ｓ２乃至Ｓ１４においても、検出保護状態Ｓ１と同様の状態遷移が行われる。但し、検出保護状態Ｓ１４において条件Ｇが検出された場合、Ｍが１４より大きければ定常状態Ｎに移行する。
【００７４】
図８は、本発明の実施の形態のカウントダウン検出部２７１における処理手順例を示す図である。まず、初期状態Ｉにおいて最初のフレームが復調されてその処理結果が選択制御部２７０によって取得される（ステップＳ９１１）。その結果、同期状態が同期確立状態になり、かつ、検出保護段数Ｍが「１５」より小さければ、定常状態Ｎに移行して、以下の処理に進む（ステップＳ９１２）。
【００７５】
変数ｓが「０」に初期化された後（ステップＳ９１３）、次のフレームが復調されてその処理結果が選択制御部２７０によって取得される（ステップＳ９１４）。その結果、上述の条件Ｚが成立している場合（ステップＳ９１５）、検出保護段数Ｍが「０」より大きければ（ステップＳ９１６）、変数ｓには「１」が加算されて（ステップＳ９１７）、これに伴い、検出保護状態Ｓｓに移行する。そして、次のフレームが復調され、その処理結果が選択制御部２７０によって取得される（ステップＳ９１８）。
【００７６】
ステップＳ９１８における取得により上述の条件Ａが成立している場合（ステップＳ９１９）、検出保護段数Ｍが「１４」以下（ステップＳ９２１）かつ変数ｓ以下（ステップＳ９２２）であれば、カウントダウン状態Ｃに移行し、選択器２８０においてＴＭＣＣ復調部２３０および同期フラグ生成部２５０の出力（２３８および２５９）が選択される（ステップＳ９２３）。ステップＳ９１６において検出保護段数Ｍが「０」である場合も同様である。
【００７７】
一方、ステップＳ９１５において条件Ｚが成立せず、または、ステップＳ９１９において条件Ａが成立しない場合、もしくは、ステップＳ９２１において検出保護段数Ｍが「１４」以下でない場合には、ステップＳ９１３以降の処理が繰り返される。また、ステップＳ９２２において検出保護段数Ｍが変数ｓ以下でない場合には、ステップＳ９１７以降の処理が繰り返される。
【００７８】
ステップＳ９２３における処理が行われた後には、次のフレームが復調されてその処理結果が選択制御部２７０によって取得される（ステップＳ９２４）。その結果、条件Ａが成立している場合、カウントダウン状態Ｃが維持されて、ステップＳ９２３以降の処理が繰り返される。ステップＳ９２４において条件Ａが成立しない場合、上述の条件Ｂが成立していれば、定常状態Ｎに移行し、選択器２８０においてＴＭＣＣ復調部２３０および同期フラグ生成部２５０の出力（２３８および２５９）が選択されるとともに、リーク積分器２１０における累積値がリロードされる（ステップＳ９２７）。その後、ステップＳ９１３以降の処理が繰り返される。一方、ステップＳ９２６において条件Ｂが成立しない場合には、そのままステップＳ９１３以降の処理が繰り返される。
【００７９】
図９は、本発明の実施の形態の緊急起動検出部２７２における処理手順例を示す図である。まず、初期状態Ｉにおいて最初のフレームが復調されてその処理結果が選択制御部２７０によって取得される（ステップＳ９３１）。その結果、同期状態が同期確立状態になり、かつ、検出保護段数Ｍが「１５」より小さければ、定常状態Ｎに移行して、以下の処理に進む（ステップＳ９３２）。
【００８０】
変数ｓが「０」に初期化された後（ステップＳ９３３）、次のフレームが復調されてその処理結果が選択制御部２７０によって取得される（ステップＳ９３４）。その結果、上述の条件Ｄが成立している場合（ステップＳ９３５）、検出保護段数Ｍが「０」より大きければ（ステップＳ９３６）、変数ｓには「１」が加算されて（ステップＳ９３７）、これに伴い、検出保護状態Ｓｓに移行する。そして、次のフレームが復調され、その処理結果が選択制御部２７０によって取得される（ステップＳ９３８）。
【００８１】
ステップＳ９３８における取得により上述の条件Ｅが成立している場合（ステップＳ９３９）、検出保護段数Ｍが「１４」以下（ステップＳ９４１）かつ変数ｓ以下（ステップＳ９４２）であれば、定常状態Ｎに移行し、選択器２８０においてＴＭＣＣ復調部２３０および同期フラグ生成部２５０の出力（２３８および２５９）が選択されるとともに、リーク積分器２１０における累積値がリロードされる（ステップＳ９４３）。その後、ステップＳ９３３以降の処理が繰り返される。ステップＳ９３６において検出保護段数Ｍが「０」である場合も同様である。
【００８２】
一方、ステップＳ９３５において条件Ｄが成立せず、または、ステップＳ９３９において条件Ｅが成立しない場合、もしくは、ステップＳ９４１において検出保護段数Ｍが「１４」以下でない場合には、ステップＳ９３３以降の処理が繰り返される。また、ステップＳ９４２において検出保護段数Ｍが変数ｓ以下でない場合には、ステップＳ９３７以降の処理が繰り返される。
【００８３】
図１０は、本発明の実施の形態の制御情報検出部２７３における処理手順例を示す図である。まず、初期状態Ｉにおいて最初のフレームが復調されてその処理結果が選択制御部２７０によって取得される（ステップＳ９５１）。その結果、同期状態が同期確立状態になり、かつ、検出保護段数Ｍが「１５」より小さければ、定常状態Ｎに移行して、以下の処理に進む（ステップＳ９５２）。
【００８４】
変数ｓが「０」に初期化された後（ステップＳ９５３）、次のフレームが復調されてその処理結果が選択制御部２７０によって取得される（ステップＳ９５４）。その結果、上述の条件Ｆが成立している場合（ステップＳ９５５）、検出保護段数Ｍが「０」より大きければ（ステップＳ９５６）、変数ｓには「１」が加算されて（ステップＳ９５７）、これに伴い、検出保護状態Ｓｓに移行する。そして、次のフレームが復調され、その処理結果が選択制御部２７０によって取得される（ステップＳ９５８）。
【００８５】
ステップＳ９３８における取得により上述の条件Ｇが成立している場合（ステップＳ９５９）、検出保護段数Ｍが「１４」以下（ステップＳ９６１）かつ変数ｓ以下（ステップＳ９６２）であれば、定常状態Ｎに移行し、リーク積分器２１０における累積値がリロードされる（ステップＳ９６３）。その後、ステップＳ９５３以降の処理が繰り返される。ステップＳ９５６において検出保護段数Ｍが「０」である場合も同様である。
【００８６】
一方、ステップＳ９５５において条件Ｆが成立せず、または、ステップＳ９５９において条件Ｇが成立しない場合、もしくは、ステップＳ９６１において検出保護段数Ｍが「１４」以下でない場合には、ステップＳ９５３以降の処理が繰り返される。また、ステップＳ９６２において検出保護段数Ｍが変数ｓ以下でない場合には、ステップＳ９５７以降の処理が繰り返される。
【００８７】
このように、本発明の実施の形態によれば、リーク積分器２１０における累積値を用いてＴＭＣＣ復調部２２０による復調を行うことによって、受信信号の時間変動によりＴＭＣＣキャリアの欠落が生じる状況においてＴＭＣＣ信号の受信精度を向上させることができる。また、リーク積分器２１０における累積を経ないＴＭＣＣ復調部２３０による復調を併せて行うことにより、伝送パラメータ情報の切替え時に柔軟に対応することができる。
【００８８】
次に、本発明の実施の形態においてリーク積分器２１０の忘却係数Ｋを動的に設定する変形例について説明する。
【００８９】
まず、第１の変形例においては、ＴＭＣＣ復調部２２０からの同期情報２２９１を選択制御部２７０が参照して、ＴＭＣＣ復調部２２０における同期状態を確認する。そして、上述の同期確立状態においてその内部状態が悪化すると、それに伴って忘却係数設定部２１５により忘却係数Ｋを一段階大きい値に設定させる。一方、その内部状態が向上すると、それに伴って忘却係数設定部２１５により忘却係数Ｋを初期の小さい値に戻す。
【００９０】
また、第２の変形例においては、ＯＦＤＭ復調部１００からの復調レベル情報を選択制御部２７０が参照して、ＯＦＤＭ復調部１００における復調状態を確認する。この復調状態としては、例えば、ＦＦＴの成功率やＡＧＣにおける電波強度などにより判断することができる。この復調状態が悪化すると、それに伴って忘却係数設定部２１５により忘却係数Ｋを一段階大きい値に設定させる。一方、この復調状態が改善すると、それに伴って忘却係数設定部２１５により忘却係数Ｋを一段階小さい値に設定させる。そして、その復調状態が完全復調レベルに復帰すると、忘却係数設定部２１５により忘却係数Ｋを初期設定値に戻す。
【００９１】
なお、本発明の実施の形態では、一例として１４個の検出保護状態Ｓ１乃至Ｓ１４を想定したが、この状態数は適宜定めることができる。
【００９２】
また、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００９３】
すなわち、請求項１において、累積手段は例えばリーク積分器２１０に対応する。また、復調手段は例えばＴＭＣＣ復調部２２０に対応する。
【００９４】
また、請求項２において、累積手段は例えばリーク積分器２１０に対応する。また、第１の復調手段は例えばＴＭＣＣ復調部２２０に対応する。また、第２の復調手段は例えばＴＭＣＣ復調部２３０に対応する。また、選択手段は例えば選択器２８０に対応する。また、選択制御手段は例えば選択制御部２７０に対応する。
【００９５】
また、請求項６において、メモリは例えばメモリ２１１に対応する。
【００９６】
また、請求項１１または１２において、先行する伝送制御信号を受信する手順は例えばステップＳ９１１またはＳ９３１に対応する。また、後続の伝送制御信号を受信する手順は例えばステップＳ９１４またはＳ９３４に対応する。また、先行する伝送制御信号と後続の伝送制御信号とを比較する手順は例えばステップＳ９１５またはＳ９３５に対応する。また、先行する伝送制御信号および後続の伝送制御信号の伝送パラメータ情報が変化した場合には第２の復調手段の復調結果を選択するように選択手段を制御し、それ以外の場合には第１の復調手段の復調結果を選択するように選択手段を制御する手順は例えばステップＳ９２３またはＳ９４３に対応する。
【００９７】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【００９８】
【図１】本発明の実施の形態としてのデジタル放送受信機におけるＴＭＣＣ処理部２００の構成例を示す図である。
【図２】本発明の実施の形態におけるリーク積分器２１０の構成例を示す図である。
【図３】本発明の実施の形態におけるＴＭＣＣ信号の構成を示す図である。
【図４】本発明の実施の形態における選択制御部２７０の構成例を示す図である。
【図５】本発明の実施の形態のカウントダウン検出部２７１における状態遷移例を示す図である。
【図６】本発明の実施の形態の緊急起動検出部２７２における状態遷移例を示す図である。
【図７】本発明の実施の形態の制御情報検出部２７３における状態遷移例を示す図である。
【図８】本発明の実施の形態のカウントダウン検出部２７１における処理手順例を示す図である。
【図９】本発明の実施の形態の緊急起動検出部２７２における処理手順例を示す図である。
【図１０】本発明の実施の形態の制御情報検出部２７３における処理手順例を示す図である。
【符号の説明】
【００９９】
１００  ＯＦＤＭ復調部
１０９、２１８、２１９  ＴＭＣＣ信号
２００  ＴＭＣＣ処理部
２１０  リーク積分器
２１１  メモリ
２１２、２１３  乗算器
２１４  加算器
２１５  忘却係数設定部
２１６、２１７  硬判定器
２２０、２３０  ＴＭＣＣ復調部
２２８、２３８  ＴＭＣＣ情報
２２９、２３９  同期情報
２４０、２５０  同期フラグ生成部
２４９、２５９  フレーム同期フラグ
２７０  選択制御部
２７１  カウントダウン検出部
２７２  緊急起動検出部
２７３  制御情報検出部
２７４、２７５  論理和回路
２７６  切替制御部
２７８  リロード制御信号
２７９  選択制御信号
２８０  選択器
２８１  ＴＭＣＣ情報
２８２  フレーム同期信号
３００  誤り訂正部
【図１】
2007214969.tif 000003
【図２】
2007214969.tif 000004
【図３】
2007214969.tif 000005
【図４】
2007214969.tif 000006
【図５】
2007214969.tif 000007
【図６】
2007214969.tif 000008
【図７】
2007214969.tif 000009
【図８】
2007214969.tif 000010
【図９】
2007214969.tif 000011
【図１０】
2007214969.tif 000012